(57)【要約】【課題】簡単な方法で抱持方法に応じた状態に転換できるベビーキャリアを提供する。【解決手段】ベビーキャリア(1)は、幼児の身体にあてがう本体部(10)と、この本体部(10)の上下方向に架け渡された左右の肩ベルト(30)(30)と、前記肩ベルト(30)の下部領域(32)にスライド自在に取り付けられて左右の肩ベルト(30)(30)間の距離を規制する下部規制帯(34)とを備える。【選択図】  図１
2009178389.tif 000002
【特許請求の範囲】
【請求項１】
幼児の身体にあてがう本体部と、この本体部の上下方向に架け渡された左右の肩ベルトと、前記肩ベルトの下部領域にスライド自在に取り付けられて左右の肩ベルト間の距離を規制する下部規制帯とを備えることを特徴とするベビーキャリア。
【請求項２】
前記下部規制帯は伸縮性素材で構成されている請求項１に記載のベビーキャリア。
【請求項３】
前記肩ベルトの上部領域に左右の肩ベルトの間隔を規制する上部規制帯が取り付けられている請求項１または２に記載のベビーキャリア。
【発明の詳細な説明】
【技術分野】
【０００１】
本発明は幼児抱持を補助するためのベビーキャリアに関する。
【背景技術】
【０００２】
ベビーキャリアを用いる幼児の抱持方法は、おんぶ、幼児と向かい合う対面だっこ、幼児の向きを逆にする前向きだっこ、幼児を寝かせる横抱きがあり、幼児の成長や使用場面によって選択される。このため、１つのベビーキャリアで複数の抱持方法に対応するために、使用者への装着方法を変更できるようにしたベビーキャリアが提案されている（特許文献１参照）。
【０００３】
図７に示すベビーキャリア(2)は複数の抱持方法に対応できるものであり、背当て部(50)の上端部から左右の肩ベルト(51)(51)が引き出されている。この肩ベルト(51)は、先端側の帯紐部(52)上にスライド自在にバックル(53a)が取り付けられ、股当て部(54)に取付けられた相手方バックル(53b)に対して相互に分離自在に連結しうるものとなされている。また、前記帯紐部(52)(52)の先端には一対のバックル(55a)(55b)が取り付けられて、肩ベルト(51)の残余部を腰周りで留めるようになされている。さらに、頭当て部(56)は背当て部(50)に対して着脱自在となされている。
【０００４】
上記構造のベビーキャリア(2)において、おんぶで使用する場合は、左右の肩ベルト(51)(51)が平行となるようにバックル(53a)(53b)を連結する。これは、肩ベルト(51)(51)を胸部で交差させて体型が露わになることを使用者が好まないからである。また、だっこで使用するときは、肩ベルト(51)(51)が背中で交差するようにバックル(53a)(53b)を連結する。左右の肩ベルト(51)(51)を平行にすると肩ベルト(51)(51)がずり落ちやすいため、交差させることでずり落ちを防いでいる。
【０００５】
また、横抱きで使用する場合は、肩ベルト(51)(51)が平行となるようにバックル(53a)(53b)を連結し、左右の肩ベルト(51)(51)を一括して片方の肩に掛けて使用される。
【特許文献１】特開２００４―２４８８７９号公報（図１）
【発明の開示】
【発明が解決しようとする課題】
【０００６】
しかしながら、最適な状態で使用するために抱持方法に応じてバックルの連結を変更するのは面倒であり、簡単に装着できるベビーキャリアが望まれている。
【課題を解決するための手段】
【０００７】
本発明は、上述した技術背景に鑑み、簡単な方法で抱持方法に応じた状態に転換でき、最適な抱持を行えるベビーキャリアの提供を目的とする。
【０００８】
即ち、本発明のベビーキャリアは下記［１］〜［３］に記載の構成を有する。
【０００９】
［１］幼児の身体にあてがう本体部と、この本体部の上下方向に架け渡された左右の肩ベルトと、前記肩ベルトの下部領域にスライド自在に取り付けられて左右の肩ベルト間の距離を規制する下部規制帯とを備えることを特徴とするベビーキャリア。
【００１０】
［２］前記下部規制帯は伸縮性素材で構成されている［１］に記載のベビーキャリア。
【００１１】
［３］  前記肩ベルトの上部領域に左右の肩ベルトの間隔を規制する上部規制帯が取り付けられている［１］または［２］に記載のベビーキャリア。
【発明の効果】
【００１２】
上記［１］に記載の発明によれば、だっこのときは、下部規制帯を肩ベルトの下部領域の上方にスライドさせておき、本体部を使用者の胸側に装着すると、前記下部規制帯は使用者の背中に位置することとなり、左右の肩ベルトの間隔を規制して肩ベルトの肩落ちを防止することができる。一方、おんぶのときは下部規制帯を下方にスライドしておけば邪魔にならず、支障なくおんぶすることができる。また、前記下部規制帯をスライドさせるとういう、簡単な操作で抱持方法に適した状態にすることができる。
また、左右の肩ベルトは常に平行であり分離可能とする必要がなく、肩ベルトの両端を本体部に固着できるので構造を簡素化できる。
【００１３】
上記［２］に記載の発明によれば、装着動作が容易であり、左右の肩ベルトの長さのばらつきや使用者の動作に追従するのでフィット性が高くなる。
【００１４】
上記［３］に記載の発明によれば、上部規制帯により肩ベルトの上部領域における肩ベルト間隔が規制でされ、幼児の胸回りの余分な緩みが無くなって収容空間が規制されるので、装着動作および抱持時における保持安定性が高められる。また、おんぶ時の肩ベルトのずり落ち防止効果を奏する。
【発明を実施するための最良の形態】
【００１５】
図１〜６に、本発明にかかるベビーキャリアの一実施形態を示す。
ベビーキャリア(1)は、幼児の身体にあてがう本体部(10)と左右一対の肩ベルト(30)(30)から構成され、肩ベルト(30)(30)の装着方向により、おんぶ、対面だっこ、前向きだっこおよび横抱きの４通りの抱持方法で使用することができる。
【００１６】
前記本体部(10)は、頭当て部(11)、背当て部(12)および股当て部(13)が連続して一体に形成されている。この本体部(10)は外装布の間にクッション材を挟み込んで縫製した柔軟性に富むものであり、自在に折り曲げることができる。
【００１７】
前記頭当て部(11)は、中央の後頭支持部(11a)の左右側縁から帯状の側頭支持部(11b)(11b)が延設され、バックルを介して左右の肩ベルト(30)に着脱自在に取り付けられている。また、前記バックルは布製筒状カバー(14)に覆われて幼児の顔に直接触れないようになされている。
【００１８】
前記股当て部(13)は、先端部が左右外方に延出し、その先端が背当て部(12)の側縁に縫着されて足抑制帯(15)を形成している。かかる構成により、背当て部(12)の側縁、股当て部(13)の側縁および足抑制帯(15)が一つの環となって、幼児の足を通す空間が形成されている。
【００１９】
前記左右一対の肩ベルト(30)(30)は、背当て部(12)の上端と股当て部(13)の外面との間に架け渡されている。これらの肩ベルト(30)(30)は、背当て部(12)側の肩当て部(31)が背当て部(12)から一体に連続形成されたクッション性を有する広幅帯で形成される一方、股当て部(13)側の延長部(32)が幅の狭い扁平な帯紐で形成されている。また、前記延長部(32)は、長さ方向の中間部に取付けられた調節具(33)によって長さ調節可能となされている。前記肩当て部(31)は本発明における肩ベルトの上部領域に対応し、延長部(32)は同じく下部領域に対応する。
【００２０】
前記肩ベルト(30)には、延長部(32)および肩当て部(31)にそれぞれ左右の肩ベルトの間隔を規制するための規制帯(34)(35)が取り付けられている。
【００２１】
前記延長部(32)に取り付けられている下部規制帯(34)は伸縮性を有する布地製であり、矩形の本体部(34a)の左右両側がそれぞれ筒状となるように縫製され、左右の筒状部(34b)内に延長部(32)が挿通されている。かかる構造により、前記下部規制帯(34)は、延長部(32)から外すことはできないが延長部(32)上を自在にスライドし、左右肩ベルト(30)の間隔が広がらないように規制している。
【００２２】
前記肩当て部(31)に取り付けられている上部規制帯(35)は、テープ(36)を介してバックル(37)を取り付けることにより分離連結可能となされている。また、前記バックル(37)はカバー(38)で覆われている。前記上部規制帯(35)はテープ(36)が肩当て部(31)に縫着されているので前記下部規制帯(34)のように移動させることはできないが、バックル(37)の分離によって規制を解除することができる。
【００２３】
次に、上述のベビーキャリア(1)の使用方法について説明する。
〔おんぶ〕
図２に示すように、準備段階として、下部規制帯(34)を股当て部(13)側にスライドさせ、上部規制帯(35)のバックル(37)は分離しておく。バックル(37)の分離によって開放された本体部(10)上に幼児を寝かせ、足抑制帯(15)の下に足をくぐらせる。このとき、延長部(32)の長さを長い目に調節しておけば、本体部(10)の上方がさらに大きく開いて幼児を本体部(10)内に収容しやすくなる。幼児を収容したら、上部規制帯(35)のバックル(37)を連結する。
【００２４】
図３に示すように本体部(10)を背負って肩ベルト(30)(30)を両肩に掛けることによって装着し、必要に応じて延長部(32)を短くして余分な緩みを無くす。前記上部規制帯(35)によって左右の肩ベルト(30)(30)の間隔が広がらないように規制されているため、肩からのずり落ちを防止することができる。また、上部規制帯(35)が幼児の収容空間を規制して過度のゆとりが排除されるので、おんぶした状態においても本体部(10)を背中側に回して肩ベルト(30)を掛ける動作においても、保持安定性が向上する。
【００２５】
一方、下部規制帯(34)は肩ベルト(30)の股当て部(13)側に位置しているので、本体部(10を装着する際にも邪魔にならない。しかも、下部規制帯(34)が肩ベルト(30)の間隔を規制しているので、外方に広がりにくい状態となってずり落ち防止効果を助長している。
【００２６】
〔だっこ〕
おんぶと同じ方法で、本体部(10)に幼児を収容する。また、肩ベルト(30)の延長部(32)は長い目に調節しておく。幼児を収容したら、図４に示すように、下部規制帯(34)を肩当て部(31)側にスライドさせて股当て部(13)と下部規制帯(34)との間を広げる。
【００２７】
そして、使用者は、左右の延長部(32)と下部規制帯(34)と股当て部(13)との間に頭と両腕を入れ、頭を下部規制帯(34)の下をくぐらせるとともに、両腕を延長部(32)の下をくぐらせると、図５Ａおよび図５Ｂに示すだっこの姿勢となる。この肩ベルト(30)(30)を被るようにして頭と両腕をくぐらせる動作は、肩ベルト(30)の延長部(32)を長い目に調節しておくことによって容易に行うことができる。だっこの姿勢が整えば、延長部(32)の長さを短く調節して余分な緩みを無くし、幼児を引き寄せるようにする。
【００２８】
この状態において、下部規制帯(34)は使用者の背中に位置し、左右の肩ベルト(30)(30)の間隔が広がらないように規制しているので肩ベルト(30)のずり落ちが防がれる。しかも、上部規制帯(35)によっても肩ベルト(30)(30)の間隔が規制され、使用者の肩の前後で肩ベルト(30)(30)の間隔が規制されることになるのでずり落ち防止効果は大きい。さらに、上部規制帯(35)によって幼児の収容空間の胸回りの余分な緩みが無くなるので、だっこの保持安定性も向上する。
【００２９】
なお、図示例は幼児と使用者が向かい合う対面だっこであるが、頭当て部(11)を折り返して背当て部(12)に重なるようにし、幼児の向きを逆にすれば、前向きだっこにすることができる。
【００３０】
〔横抱き〕
おんぶと同じ方法で、本体部(10)に幼児を収容する。横抱きはだっこやおんぶよりも長い肩ベルト(30)が必要となるとなるので、延長部(32)は十分に長くしておく。また、下部規制帯(34)は股当て部(13)側に寄せておく。
【００３１】
図６に示すように、２本の肩ベルト(30)(30)を一括して一方の肩にたすき掛けにし、本体部(10)がほぼ水平になるように整える。２本の肩ベルト(30)(30)は股当て部(13)側で下部規制帯(34)によって間隔が規制されているので、２本の肩ベルト(30)(30)が４点で本体部(10)を吊すことになり、本体部(10)は安定して水平に保たれる。下部規制帯(34)が無い場合は、股当て部(13)側で左右の肩ベルト(30)(30)が接近してしまい、実質的に３点で本体部(10)を吊すことになるので、４点吊りよりも安定した水平状態を保つことが難しくなる。
【００３２】
また、２本の肩ベルト(30)(30)のうち使用者から遠い側の肩ベルト(30)を他方の肩に掛けて横抱きすることもできる。この場合、遠い側の肩ベルト(30)の延長部(32)を短くすることで本体部(10)の水平を安定して保つことができる。また、左右の肩ベルト(30)(30)の長さに差があると下部規制帯(34)が歪みがちになるが、伸縮性素材を用いることでフィット性を確保できる。
【００３３】
上述したように、前記ベビーキャリア(1)は、抱持方法に応じて下部規制帯(34)をスライドさせるという簡単な変更、簡単な操作だけで肩ベルト(30)のずり落ちを確実に防止することができる。図７の従来のベビーキャリア(2)のように、抱持方法に応じて肩ベルトの連結方向を変える必要がなく使用方法が簡単になる。また、おんぶの時は下部規制帯(34)を股当て部(13)側にスライドさせなければ幼児（本体部）を背負うことができず、だっこの時は肩当て部(31)側にスライドさせなければ肩ベルト(30)(30)を被る動作をすることができないので、下部規制帯(34)の位置を間違えることもない。しかも、左右の肩ベルト(30)(30)は常に平行であり分離可能とする必要がなく、肩ベルト(30)の両端を本体部(10)に固着できるので構造が簡素化される。
【００３４】
前記下部規制帯(34)の材料は伸縮性素材を用いることが好ましい。素材の伸縮により融通が利くので装着動作が容易であり、左右の肩ベルト(30)(30)の長さのばらつきや使用者の動作に追従するのでフィット性が高くなるからである。素材に伸縮性があっても一定以上の力をかけなければ伸ばすことができないので、肩ベルト間の間隔規制効果は阻害されることはなく、むしろフィット性向上による間隔規制効果を得ることができる。また、下部規制帯(34)の上下方向の寸法を大きくするほど左右方向（肩ベルト間の間隔）に伸ばすために大きな力が必要となるので、素材の伸縮力に応じて上下方向の寸法を設定すれば、肩ベルト(30)(30)間の間隔を確実に規制しつつ、フィット性を高めることができる。なお、前記下部規制帯(34)が非伸縮性素材で構成されていても間隔規制効果は得られ、装着時においても延長部(32)の長さを長い目に調節しておくことで支障なく装着することができる。
【００３５】
また、肩ベルト(30)の肩当て部(31)に上部規制帯(35)を取り付けることで、幼児の胸回りの余分な緩みが無くなり収容空間が規制されるので、装着動作および抱持時における保持安定性を高める効果があり、おんぶ時の肩ベルト(30)ずり落ち防止効果を奏し、だっこ時の肩ベルト(30)ずり落ち防止効果を助長する。なお、上部規制帯(35)の構成は幼児の出し入れのために開閉自在であれば良く図示例のバックルに限定されない。さらに、本発明において上部規制帯(35)は必須構成ではなく、上部規制帯(35)のないベビーキャリアも本発明に含まれる。
【００３６】
また、本発明のベビーキャリアにおいて、本体部は少なくとも背当て部と股当て部を備えていればおんぶとだっこに使用できるので、頭当て部の無いベビーキャリアも本発明に含まれる。また、頭当て部は図１のように背当て部と一体に連続したものであっても良いし、図７のように脱着自在であっても良い。また、横抱き時の保持安定性を高めるために、頭部あるいは頭部から股関節までを支持する敷材を追加することも好ましい。
【産業上の利用可能性】
【００３７】
この発明のベビーキャリアは、簡単な構造でだっことおんぶの両方で肩ベルトのずり落ちを防止できるものであるから、簡単な使用方法で最適な抱持を行いたいという使用者の要望に応えるものである。
【図面の簡単な説明】
【００３８】
【図１】本発明にかかるベビーキャリアの一実施形態を示す斜視図である。
【図２】図１のベビーキャリアに幼児を収容する方法を示す斜視図である。
【図３】図１のベビーキャリアをおんぶで使用した状態を示す斜視図である。
【図４】図１のベビーキャリアをだっこで使用する場合の準備段階を示す斜視図である。
【図５Ａ】図１のベビーキャリアをだっこで使用した状態を前から見た斜視図である。
【図５Ｂ】図１のベビーキャリアをだっこで使用した状態を後ろから見た斜視図である。
【図６】図１のベビーキャリアを横抱きで使用した状態を示す斜視図である。
【図７】従来のベビーキャリアの一例を示す斜視図である。
【符号の説明】
【００３９】
１…ベビーキャリア
10…本体部
11…頭当て部
12…背当て部
13…股当て部
15…足抑制帯
30…肩ベルト
31…肩当て部（上部領域）
32…延長部（下部領域）
34…下部規制帯
35…上部規制帯
【図１】
2009178389.tif 000003
【図２】
2009178389.tif 000004
【図３】
2009178389.tif 000005
【図４】
2009178389.tif 000006
【図５Ａ】
2009178389.tif 000007
【図５Ｂ】
2009178389.tif 000008
【図６】
2009178389.tif 000009
【図７】
2009178389.tif 000010